(57)【要約】【課題】  防護無線装置に防護発報させる発報スイッチが押しボタン式のスイッチである場合、正面から見ると、押しボタン式のスイッチの位置が奥に押し込まれた状態（オン）か、手前に突出した状態（オフ）であるのか分かりにくいという課題があった。【解決手段】  列車運行時に緊急事態が発生したときに、発報スイッチを操作することにより防護発報して非常信号を送信し、前記非常信号を受信した列車を停止させる防護無線装置において、発報スイッチは、ロッカ式スイッチと、このロッカ式スイッチを覆うクラッカープレートより構成することとした。【選択図】  図２
2011102094.tif 000002
【特許請求の範囲】
【請求項１】
列車運行時に緊急事態が発生したときに、発報スイッチを操作することにより防護発報して非常信号を送信し、前記非常信号を受信した列車を停止させる防護無線装置において、
前記発報スイッチは、ロッカ式スイッチと、このロッカ式スイッチを覆うクラッカープレートより構成されることを特徴とする防護無線装置。
【請求項２】
前記発報スイッチにより発報される非常信号を受信した受信側で再生される鳴動パターンを設定する鳴動パターン設定スイッチが設けられたことを特徴とする請求項１に記載の防護無線装置。
【発明の詳細な説明】
【技術分野】
【０００１】
この発明は、列車運行時に緊急事態が発生したときに防護無線信号を発報し、周囲を走行している列車を停止させる防護無線装置に関する。
【背景技術】
【０００２】
特許文献１には、緊急時に列車の運転手が防護無線装置のスイッチを押下することは困難であること、現場で起きた非常事態の内容が直ちに把握できない等の問題があることから、特定の音声パターンに該当する運転者の音声がマイクから入力された場合に、防護発報の作動が必要であると認識して、防護発報して非常信号電波を送信する防護無線装置が開示されている。
【先行技術文献】
【特許文献】
【０００３】
【特許文献１】特開２００８−２５４５１２
【発明の概要】
【発明が解決しようとする課題】
【０００４】
防護無線装置は運転手、乗務員が発報スイッチを操作することにより、防護発報して非常信号を送信する。この発報スイッチは押しボタンスイッチであり、クラッカープレートで覆われている。図６は一般的な防護無線装置を示す正面図である。図６において、防護無線装置２の正面側にクラッカープレート５が設けられ、クラッカープレート５の奥に押しボタンスイッチ９がある。クラッカープレート５は、誤操作を防止する目的でスイッチにかぶせられるカバーで、操作後は回復不可能な保護版である。図６に示す防護無線装置２のように、発報スイッチが押しボタンスイッチ９である場合、運転手はクラッカープレート５ごしに押しボタンスイッチ９を奥に押し込むことで防護発報を起動させる。防護発報が起動された状態では、押しボタンスイッチ９の奥に設けられた光源（ＬＥＤなど）が点灯し、防護発報されていることを示す。なお、防護無線装置２は、車両に設置して通電されると電源が入るので、電源のオン／オフを行う電源スイッチに相当するものは備えていない。
【０００５】
ところで、押しボタンの発報スイッチ９が何らかの理由で奥に押し込まれた位置にあり、つまり、防護発報が可能な状態において車両への設置を行った場合、防護無線装置に通電されると、発報スイッチが防護発報が可能な位置にあるため、意図しない防護発報を行ってしまう恐れがあった。図７は、押しボタンスイッチの外観を示す外観図である。オフの状態からスイッチを押し込むとオンになるが、正面から見ると、押しボタンのスイッチの場合、スイッチが奥に押し込まれた位置（オン）であるのか、手前に突出した位置（オフ）であるのか分かりにくいため、上記のような課題が生じる。
【課題を解決するための手段】
【０００６】
本発明に係る防護無線装置は、列車運行時に緊急事態が発生したときに、発報スイッチを操作することにより防護発報して非常信号を送信し、非常信号を受信した列車を停止させる防護無線装置において、発報スイッチは、ロッカ式スイッチと、このロッカ式スイッチを覆うクラッカープレートより構成されるものである。
【発明の効果】
【０００７】
本発明に係る防護無線装置は、列車運行時に緊急事態が発生したときに、発報スイッチを操作することにより防護発報して非常信号を送信し、非常信号を受信した列車を停止させる防護無線装置において、発報スイッチは、ロッカ式スイッチと、このロッカ式スイッチを覆うクラッカープレートより構成されるので、発報スイッチの位置が防護発報可能なオンの位置になっていないか確認することが容易であり、意図しない防護発報を抑制することができる。
【図面の簡単な説明】
【０００８】
【図１】防護無線システムを示す構成図を示す。
【図２】本発明の実施の形態１に係る防護無線装置を示す正面図である。
【図３】ロッカ式スイッチの外観を示す側面図と正面図である。
【図４】この発明の実施の形態２に係る防護無線装置を示す正面図である。
【図５】防護発報された際に受信側で再生される鳴動パターンを示す説明図である。
【図６】一般的な防護無線装置を示す正面図である。
【図７】押しボタンスイッチの外観を示す外観図である。
【発明を実施するための形態】
【０００９】
実施の形態１．
図１は防護無線システムを示す構成図を示す。Ａ列車１ａ、Ａ列車１ｂはそれぞれ防護無線装置２ａ、２ｂを備える。防護無線装置２ａ、２ｂは発報スイッチ３ａ、３ｂで防護発報し、非常信号を送信する。図１において、Ａ列車１ａの走行中、何らかの障害（列車の故障や事故等）が発生したことを運転士や車掌などの乗務員が認識すると、Ａ列車１ａの乗務員は防護無線装置２ａに装備されている発報スイッチ３ａを押下することにより防護発報して、周囲を走行しているＢ列車１ｂに搭載されている防護無線装置３ｂにて防護無線信号４を受信する。Ｂ列車の防護無線装置３ｂでは、防護無線信号４を受信すると、鳴動音によりＢ列車１ｂの乗務員に知らせることで乗務員が列車のブレーキをかけて列車を停止させ、障害を回避する。
【００１０】
図２は、本発明の実施の形態１に係る防護無線装置を示す正面図である。図において、２は防護無線装置、５はクラッカープレート、６は発報スイッチ（ロッカ式スイッチ）、７は発報ＬＥＤである。防護無線装置２は、車両に設置する際、ロッカ式スイッチ６の押下方向により、スイッチの位置が防護発報が可能なＯＮ状態か、防護発報しないＯＦＦ状態にあるのかをひと目で識別できる。ロッカ式スイッチとは、別名を波型スイッチとも呼び、操作部が波型の形状をしたスイッチである。オンの側には小さい点が形成されている。
【００１１】
図３はロッカ式スイッチの外観を示す側面図と正面図である。図３に示すとおり、ロッカ式スイッチ６の場合、側面だけでなく正面からも目視でスイッチの位置を判別することが可能である。そのため、図２のようにクラッカープレート５越しに配置されている場合でも、スイッチの位置の確認を容易に行うことができる。したがって、防護無線装置２を車両に取り付ける際に、発報スイッチ３の位置が防護発報可能なオンの位置になっていないか確認することが容易であるので、防護無線装置２を車両に取り付け後、通電された際に、発報スイッチ３の位置が防護発報可能なオンの位置になっていたことによる意図しない防護発報を抑制することができる。
【００１２】
なお、障害発生時の発報方法については、クラッカープレート５越しにロッカ式スイッチ６を押下し、防護発報可能なオンの位置にスイッチを切り替えることで防護発報が可能である。防護無線装置２の正面に発報ＬＥＤ７を付加し、ロッカ式スイッチ６が防護発報可能な位置に切り替えられたときに発報ＬＥＤ７を点灯させることにより、防護発報されているのか否かを容易に判別できる。
【００１３】
実施の形態２．
図４は、この発明の実施の形態２に係る防護無線装置を示す正面図である。図４において、図２に示す防護無線装置２にダイヤル式スイッチ８が新たに設けられている。図５は、防護発報された際に受信側で再生される鳴動パターンを示す説明図である。なお、図４において図２と同一の符号は同一または相当部分を示すので説明は省略する。
【００１４】
防護無線装置２は、障害が発生した際、ダイヤル式スイッチ８（鳴動パターン設定スイッチ）を操作することによって障害規模を設定することが可能である。ダイヤルを１に設定した場合、障害の規模を『小規模』として防護発報を行い、受報側では小規模用鳴動パターンで鳴動させることで、受報側の乗務員に小規模の障害であることを通知することができる。同様に、ダイヤルを２に設定した場合は『中規模』の障害、ダイヤルを３に設定した場合は『大規模』の障害を鳴動パターンを変化させることにより通知することができる。鳴動パターンの一例を図７に示す。受報側の乗務員は、障害の規模に合わせて適切な対応を取ることが可能となる。
【００１５】
本発明対象の防護無線装置を搭載した防護無線システムでは、不必要な防護発報を行った場合、他列車の運行に支障をきたすため、誤発報を防止し、必要な場合のみ防護発報を行うことができるしくみが必要である。また、受信側では障害の規模の判断ができないため、防護発報を送信した側で、障害の規模に応じて鳴動パターンを設定できる本発明は有効である。
【符号の説明】
【００１６】
１  列車、２  防護無線装置、３  発報スイッチ、
４  防護無線信号、５  クラッカープレート、６  発報スイッチ（ロッカ式スイッチ）、
７  発報ＬＥＤ、８  ダイヤル式スイッチ、９  発報スイッチ（押しボタン式）
【図１】
2011102094.tif 000003
【図２】
2011102094.tif 000004
【図３】
2011102094.tif 000005
【図４】
2011102094.tif 000006
【図５】
2011102094.tif 000007
【図６】
2011102094.tif 000008
【図７】
2011102094.tif 000009